(57)【要約】【課題】、発電した電力をより効率よく利用することができるようにする。【解決手段】コントローラ１１０は、各蓄電デバイス１３０から、蓄電状態に関する情報等を取得し、それらの情報に基づいて、例えば白抜き矢印のように、発電デバイス１２０において発電された電力の送電元および送電先を決定する。コントローラ１１０は、送電元の発電デバイス１２０に送電先の情報を含む送電指令を供給し、送電先の蓄電デバイス１３０に送電元の情報を含む受電指令を供給する。発電デバイス１２０および蓄電デバイス１３０は、この指令に基づいて送受電を行う。本発明は、例えば、発電装置に適用することができる。【選択図】図５
2012029470.tif 000002
【特許請求の範囲】
【請求項１】
発電を行う発電デバイスと、電力を蓄電する蓄電デバイスとの間の電力の授受を制御する制御装置であって、
前記発電デバイスの発電状況に関する情報である第１の情報を取得する第１の取得手段と、
前記蓄電デバイスの蓄電状態に関する情報である第２の情報を取得する第２の取得手段と、
前記第１の取得手段により取得された前記第１の情報に示される前記発電状況、および、前記第２の取得手段により取得された前記第２の情報に示される前記蓄電状態に応じて、前記発電デバイスにより発電された電力の送電先とする蓄電デバイスを決定する決定手段と、
送電元の前記発電デバイスに対して、前記決定手段により送電先として決定された前記蓄電デバイスへの送電開始を指示する送電指令を供給する第１の供給手段と、
前記決定手段により送電先として決定された前記蓄電デバイスに対して、送電元の前記発電デバイスからの受電開始を指示する受電指令を供給する第２の供給手段と
を備える制御装置。
【請求項２】
前記第１の情報は、前記発電デバイスの現在の発電出力および過去の発電出力履歴を含み、
前記決定手段は、前記発電デバイスの現在の発電出力および過去の発電出力履歴に基づいて、今後の発電出力を予測し、予測結果に応じて送電先とする蓄電デバイスを決定する
請求項１に記載の制御装置。
【請求項３】
前記発電デバイスは、蓄電部を有し、発電した電力を前記蓄電部に蓄電させてから送電し、
前記第１の情報は、前記蓄電部の蓄電状態に関する情報を含み、
前記蓄電部の蓄電状態に基づいて、前記発電デバイスの送電の可否を判定する判定手段をさらに備え、
前記第１の供給手段は、前記判定手段により前記発電デバイスが送電可能な場合のみ前記送電指令を供給する
請求項１に記載の制御装置。
【請求項４】
前記発電デバイスは、蓄電部を有し、発電した電力を前記蓄電部に蓄電させてから送電し、
前記第１の情報は、前記蓄電部の蓄電状態に関する情報、および、前記蓄電部の蓄電状態に基づいて行われた前記発電デバイスの送電の可否判定の結果を示す情報を含み、
前記第１の供給手段は、前記取得手段により取得された前記第１の情報に含まれる前記発電デバイスの送電の可否判定の結果を示す情報において前記発電デバイスが送電可能とされる場合のみ前記送電指令を供給する
請求項１に記載の制御装置。
【請求項５】
前記発電デバイスは、蓄電部を有し、発電した電力を前記蓄電部に蓄電させてから送電し、
前記第１の供給手段により供給された前記送電指令の応答として、前記発電デバイスから供給される、前記蓄電部の蓄電状態に基づいて行われた前記発電デバイスの送電の可否判定の結果を示す情報を取得する第３の取得手段をさらに備える
請求項１に記載の制御装置。
【請求項６】
前記発電デバイスは、蓄電部を有し、発電した電力を前記蓄電部に蓄電させてから送電し、
前記第１の情報は、前記蓄電部の使用履歴に関する情報を含み、
前記蓄電部の使用履歴に関する情報に基づいて、前記蓄電部の信頼性や寿命予測等を行い、前記蓄電部のメンテナンスのスケジュール管理を行う管理手段をさらに備える
請求項１に記載の制御装置。
【請求項７】
前記第１の情報は、前記発電デバイスの認証用個体情報を含み、
前記発電デバイスの認証用個体情報を用いて、前記発電デバイスの認証を行う認証手段をさらに備える
請求項１に記載の制御装置。
【請求項８】
前記第１の情報は、前記発電デバイスが送電可能となる次回の時間予測に関する情報を含み、
前記第１の供給手段は、前記発電デバイスが送電可能となる次回の時間予測に関する情報に基づいて、次回、前記発電デバイスが送電可能となる時刻に、前記送電指令を供給する
請求項１に記載の制御装置。
【請求項９】
前記第１の情報は、前記発電デバイスの位置情報を含み、
前記第１の供給手段は、前記発電デバイスの位置情報に基づいて、前記発電デバイスが送電可能な位置に存在する場合のみ前記送電指令を供給する
請求項１に記載の制御装置。
【請求項１０】
前記第１の情報は、前記発電デバイスが有する送電部の動作状態を示す情報を含み、
前記第１の供給手段は、前記送電部の動作状態を示す情報に基づいて、前記送電部が送電可能な動作状態である場合のみ前記送電指令を供給する
請求項１に記載の制御装置。
【請求項１１】
前記第２の情報は、前記蓄電デバイスが有する蓄電部の現在の蓄電状態に関する情報を含み、
前記決定手段は、前記蓄電部の現在の蓄電状態に関する情報に基づいて、送電先とする蓄電デバイスの決定を行う
請求項１に記載の制御装置。
【請求項１２】
前記第２の情報は、前記蓄電デバイスが有する蓄電部の蓄電量に基づく、前記蓄電デバイスが有する電力消費部の残り可能運転時間に関する情報を含み、
前記決定手段は、前記電力消費部の残り可能運転時間に関する情報に基づいて、送電先とする蓄電デバイスの決定を行う
請求項１に記載の制御装置。
【請求項１３】
前記第２の情報は、前記蓄電デバイスの認証用個体情報を含み、
前記蓄電デバイスの認証用個体情報を用いて、前記蓄電デバイスの認証を行う認証手段をさらに備える
請求項１に記載の制御装置。
【請求項１４】
前記第２の情報は、蓄電デバイスの位置情報を含み、
前記第２の供給手段は、前記蓄電デバイスの位置情報に基づいて、前記蓄電デバイスが受電可能な位置に存在する場合のみ前記受電指令を供給する
請求項１に記載の制御装置。
【請求項１５】
前記第２の情報は、前記蓄電デバイスが有する受電部の動作状態に関する情報を含み、
前記第２の供給手段は、前記受電部の動作状態を示す情報に基づいて、前記受電部が受電可能な動作状態である場合のみ前記受電指令を供給する
請求項１に記載の制御装置。
【請求項１６】
前記決定手段は、前記発電デバイスにより発電された電力を消費する電力消費部を有する蓄電デバイスを、前記送電先として決定する
請求項１に記載の制御装置。
【請求項１７】
前記決定手段は、比較的大容量の蓄電部を有する蓄電デバイスを、前記送電先として決定する
請求項１に記載の制御装置。
【請求項１８】
さらに、蓄電デバイス同士の電力の授受も制御し、
前記決定手段は、蓄電デバイスを送電元として、前記送電元の蓄電デバイスに蓄電されている電力の送電先とする蓄電デバイスを決定し、
前記第１の供給手段は、前記送電指令を、前記送電元の蓄電デバイスに供給する
請求項１に記載の制御装置。
【請求項１９】
前記第２の取得手段は、自分自身が制御する発電デバイスおよび蓄電デバイスと異なる発電デバイスおよび蓄電デバイスを制御する他の制御装置から、前記他の制御装置が制御する蓄電デバイスの前記第２の情報を取得し、
前記決定手段は、前記第１の取得手段により取得された前記第１の情報に示される前記発電状況、および、前記第２の取得手段により取得された、前記他の制御装置が制御する蓄電デバイスの前記第２の情報に示される前記蓄電状態に応じて、前記発電デバイスにより発電された電力の送電先とする蓄電デバイスを決定し、
前記第２の供給手段は、前記受電指令を、前記決定手段により送電先として決定された前記蓄電デバイスに対して、前記他の制御装置を介して供給する
請求項１に記載の制御装置。
【請求項２０】
前記第１の取得手段は、自分自身が制御する発電デバイスおよび蓄電デバイスと異なる発電デバイスおよび蓄電デバイスを制御する他の制御装置から、前記他の制御装置が制御する発電デバイスの前記第１の情報を取得し、
前記決定手段は、前記第１の取得手段により取得された、前記他の制御装置が制御する発電デバイスの前記第１の情報に示される前記発電状況、および、前記第２の取得手段により取得された前記第２の情報に示される前記蓄電状態に応じて、前記発電デバイスにより発電された電力の送電先とする蓄電デバイスを決定し、
前記第１の供給手段は、前記送電指令を、送電元の前記発電デバイスに対して、前記他の制御装置を介して供給する
請求項１に記載の制御装置。
【請求項２１】
自分自身が制御する発電デバイスおよび蓄電デバイスと異なる発電デバイスおよび蓄電デバイスを制御する他の制御装置と相互認証を行う相互認証手段をさらに備える
請求項１に記載の制御装置。
【請求項２２】
発電を行う発電デバイスと、電力を蓄電する蓄電デバイスとの間の電力の授受を制御する制御装置の制御方法であって、
前記制御装置の第１の取得手段が、前記発電デバイスの発電状況に関する情報である第１の情報を取得し、
前記制御装置の第２の取得手段が、前記蓄電デバイスの蓄電状態に関する情報である第２の情報を取得し、
前記制御装置の決定手段が、取得された前記第１の情報に示される前記発電状況、および、取得された前記第２の情報に示される前記蓄電状態に応じて、前記発電デバイスにより発電された電力の送電先とする蓄電デバイスを決定し、
前記制御装置の第１の供給手段が、送電元の前記発電デバイスに対して、送電先として決定された前記蓄電デバイスへの送電開始を指示する送電指令を供給し、
前記制御装置の第２の供給手段が、送電先として決定された前記蓄電デバイスに対して、送電元の前記発電デバイスからの受電開始を指示する受電指令を供給する
制御方法。
【請求項２３】
発電を行う発電手段と、
前記発電手段により発電されて得られた電力の授受を制御する制御装置から、前記電力の送電開始を指示する送電指令を取得する取得手段と、
前記取得手段により取得された前記送電指令により送電先として指定される他の装置に対して、前記発電手段により発電されて得られた電力を送電する送電手段と
を備える発電装置。
【請求項２４】
前記発電手段により発電されて得られた電力を蓄電する蓄電手段をさらに備え、
前記送電手段は、前記蓄電手段により蓄電されている電力を送電する
請求項２３に記載の発電装置。
【請求項２５】
前記蓄電手段による蓄電状態に基づいて、前記送電手段による送電の可否を判定する判定手段と、
前記判定手段による判定結果を前記制御装置に供給する供給手段と
をさらに備える請求項２４に記載の発電装置。
【請求項２６】
前記制御装置に対して、前記発電手段による発電状況に関する情報を供給する供給手段をさらに備える
請求項２３に記載の発電装置。
【請求項２７】
発電装置の発電方法であって、
前記発電装置の発電手段が、発電を行い、
前記発電装置の取得手段が、発電されて得られた電力の授受を制御する制御装置から、前記電力の送電開始を指示する送電指令を取得し、
前記発電装置の送電手段が、取得された前記送電指令により送電先として指定される他の装置に対して、発電されて得られた電力を送電する
発電方法。
【請求項２８】
電力の授受を制御する制御装置から、他の装置から供給される電力の受電開始を指示する受電指令を取得する取得手段と、
前記取得手段により取得された前記受電指令により送電元として指定される前記他の装置から供給される電力を受電する受電手段と、
前記受電手段により受電された前記電力を蓄電する蓄電手段と
を備える蓄電装置。
【請求項２９】
前記他の装置は発電装置である
請求項２８に記載の蓄電装置。
【請求項３０】
前記他の装置は、自分自身に蓄電されている電力を送電する送電機能を有する他の蓄電装置である
請求項２８に記載の蓄電装置。
【請求項３１】
前記蓄電手段により蓄電された前記電力を消費する電力消費手段をさらに備える
請求項２８に記載の蓄電装置。
【請求項３２】
前記蓄電手段により蓄電された前記電力を他の蓄電装置に送電する送電手段をさらに備える
請求項２８に記載の蓄電装置。
【請求項３３】
前記制御装置に対して、前記蓄電手段による蓄電状態に関する情報を供給する供給手段をさらに備える
請求項２８に記載の蓄電装置。
【請求項３４】
蓄電装置の蓄電方法であって、
前記蓄電装置の取得手段が、発電装置との電力の授受を制御する制御装置から、前記発電装置から供給される電力の受電開始を指示する受電指令を取得し、
前記蓄電装置の受電手段が、取得された前記受電指令により送電元として指定される発電装置から供給される電力を受電し、
前記蓄電装置の蓄電手段が、受電された前記電力を蓄電する
蓄電方法。
【請求項３５】
発電を行う発電装置、電力を蓄電する蓄電装置、および、前記発電装置と前記蓄電装置との間の電力の授受を制御する制御装置とを有する電力制御システムであって、
前記制御装置は、
前記発電装置の発電状況に関する情報である第１の情報を取得する第１の取得手段と、
前記蓄電装置の蓄電状態に関する情報である第２の情報を取得する第２の取得手段と、
前記第１の取得手段により取得された前記第１の情報に示される前記発電状況、および、前記第２の取得手段により取得された前記第２の情報に示される前記蓄電状態に応じて、前記発電装置により発電された電力の送電先とする蓄電装置を決定する決定手段と、
送電元の前記発電装置に対して、前記決定手段により送電先として決定された前記蓄電装置への送電開始を指示する送電指令を供給する第１の供給手段と、
前記決定手段により送電先として決定された前記蓄電装置に対して、送電元の前記発電装置からの受電開始を指示する受電指令を供給する第２の供給手段と
を備え、
前記発電装置は、
発電を行う発電手段と、
前記制御装置に対して、前記発電手段による発電状況に関する情報を供給する第３の供給手段と、
前記第３の供給手段により前記発電手段による発電状況に関する情報を供給した前記制御装置から、前記送電指令を取得する第３の取得手段と、
前記第３の取得手段により取得された前記送電指令により送電先として指定される前記蓄電装置に対して、前記発電手段により発電されて得られた電力を送電する送電手段と
を備え、
前記蓄電装置は、
前記制御装置に対して、蓄電状態に関する情報を供給する第４の供給手段と、
前記第４の供給手段により前記蓄電状態に関する情報を供給した前記制御装置から、前記受電指令を取得する第４の取得手段と、
前記第４の取得手段により取得された前記受電指令により送電元として指定される前記発電装置から供給される電力を受電する受電手段と、
前記受電手段により受電された前記電力を蓄電する蓄電手段と
を備える電力制御システム。
【発明の詳細な説明】
【技術分野】
【０００１】
本発明は、制御装置および方法、発電装置および方法、蓄電装置および方法、並びに電力制御システムに関し、特に、発電した電力をより効率よく利用することができるようにした制御装置および方法、発電装置および方法、蓄電装置および方法、並びに電力制御システムに関する。
【背景技術】
【０００２】
従来、太陽光発電パネル等を用いた携帯型の発電デバイスを用いて発電を行い、携帯電話機等の小型の電子機器の充電が行われていた。
【０００３】
しかしながら、個人向けの発電デバイスでは、発電量も少なく、不安定である場合が多く、携帯電話機、携帯音楽プレーヤ、ノート型パーソナルコンピュータ、およびゲーム機等、増え続ける電子機器で消費される電力を十分に賄うことができるものはなく、補助的な使用が主流であった。
【０００４】
これに対して、無線基地局から電力送信用マイクロ波の送信を行い、携帯電話の２次電池を充電する方法が考えられた（例えば、特許文献１参照）。
【０００５】
また、電磁波を放射するアンテナを設置し、そのアンテナ近傍の所定空間内での電力無線供給を行う方法も考えられた（例えば、特許文献２参照）。
【０００６】
さらに、系統に接続された複数の電力機器の余力から、各電力機器の出力を制御する方法も考えられた（例えば、特許文献３参照）。
【先行技術文献】
【特許文献】
【０００７】
【特許文献１】特開２００３−０４７１７７号公報
【特許文献２】特開２００５−２６１１８７号公報
【特許文献３】特開２００７−０９７３７３号公報
【発明の概要】
【発明が解決しようとする課題】
【０００８】
しかしながら、従来の方法では、個人向けの携帯可能な小型の発電デバイスにより発電された電力を十分に有効利用することができなかった。
【０００９】
例えば、特許文献１に記載の方法の場合、高出力のマイクロ波の送受信技術が必要になり、設備の開発や運用のコストや、設置場所や使用条件等の制約条件の面で実現が困難である恐れがあった。
【００１０】
また、特許文献２に記載の方法の場合、アンテナ近傍でなければ充電不可能であり、屋外等任意の場所での充電は困難になる恐れがあった。
【００１１】
さらに、特許文献３に記載の方法の場合、電子機器を系統に接続する必要があり、屋外等任意の場所での充電は困難になる恐れがあった。
【００１２】
携帯型の電子機器等の場合、小型であることが多く、２次電池の充電量も比較的少ないものが多い。したがって、場所や時間等、充電に必要な環境条件が少ないほど望ましく、そのために、個人向けの携帯可能な小型の発電デバイスの有効利用が求められていたが、従来の方法では、このような発電デバイスを有効に利用することが困難であった。
【００１３】
本発明は、このような状況に鑑みてなされたものであり、発電した電力をより効率よく利用することができるようにすることを目的とする。
【課題を解決するための手段】
【００１４】
本発明の一側面は、発電を行う発電デバイスと、電力を蓄電する蓄電デバイスとの間の電力の授受を制御する制御装置であって、前記発電デバイスの発電状況に関する情報である第１の情報を取得する第１の取得手段と、前記蓄電デバイスの蓄電状態に関する情報である第２の情報を取得する第２の取得手段と、前記第１の取得手段により取得された前記第１の情報に示される前記発電状況、および、前記第２の取得手段により取得された前記第２の情報に示される前記蓄電状態に応じて、前記発電デバイスにより発電された電力の送電先とする蓄電デバイスを決定する決定手段と、送電元の前記発電デバイスに対して、前記決定手段により送電先として決定された前記蓄電デバイスへの送電開始を指示する送電指令を供給する第１の供給手段と、前記決定手段により送電先として決定された前記蓄電デバイスに対して、送電元の前記発電デバイスからの受電開始を指示する受電指令を供給する第２の供給手段とを備える制御装置である。
【００１５】
前記第１の情報は、前記発電デバイスの現在の発電出力および過去の発電出力履歴を含み、前記決定手段は、前記発電デバイスの現在の発電出力および過去の発電出力履歴に基づいて、今後の発電出力を予測し、予測結果に応じて送電先とする蓄電デバイスを決定することができる。
【００１６】
前記発電デバイスは、蓄電部を有し、発電した電力を前記蓄電部に蓄電させてから送電し、前記第１の情報は、前記蓄電部の蓄電状態に関する情報を含み、前記蓄電部の蓄電状態に基づいて、前記発電デバイスの送電の可否を判定する判定手段をさらに備え、前記第１の供給手段は、前記判定手段により前記発電デバイスが送電可能な場合のみ前記送電指令を供給することができる。
【００１７】
前記発電デバイスは、蓄電部を有し、発電した電力を前記蓄電部に蓄電させてから送電し、前記第１の情報は、前記蓄電部の蓄電状態に関する情報、および、前記蓄電部の蓄電状態に基づいて行われた前記発電デバイスの送電の可否判定の結果を示す情報を含み、前記第１の供給手段は、前記取得手段により取得された前記第１の情報に含まれる前記発電デバイスの送電の可否判定の結果を示す情報において前記発電デバイスが送電可能とされる場合のみ前記送電指令を供給することができる。
【００１８】
前記発電デバイスは、蓄電部を有し、発電した電力を前記蓄電部に蓄電させてから送電し、前記第１の供給手段により供給された前記送電指令の応答として、前記発電デバイスから供給される、前記蓄電部の蓄電状態に基づいて行われた前記発電デバイスの送電の可否判定の結果を示す情報を取得する第３の取得手段をさらに備えることができる。
【００１９】
前記発電デバイスは、蓄電部を有し、発電した電力を前記蓄電部に蓄電させてから送電し、前記第１の情報は、前記蓄電部の使用履歴に関する情報を含み、前記蓄電部の使用履歴に関する情報に基づいて、前記蓄電部の信頼性や寿命予測等を行い、前記蓄電部のメンテナンスのスケジュール管理を行う管理手段をさらに備えることができる。
【００２０】
前記第１の情報は、前記発電デバイスの認証用個体情報を含み、前記発電デバイスの認証用個体情報を用いて、前記発電デバイスの認証を行う認証手段をさらに備えることができる。
【００２１】
前記第１の情報は、前記発電デバイスが送電可能となる次回の時間予測に関する情報を含み、前記第１の供給手段は、前記発電デバイスが送電可能となる次回の時間予測に関する情報に基づいて、次回、前記発電デバイスが送電可能となる時刻に、前記送電指令を供給することができる。
【００２２】
前記第１の情報は、前記発電デバイスの位置情報を含み、前記第１の供給手段は、前記発電デバイスの位置情報に基づいて、前記発電デバイスが送電可能な位置に存在する場合のみ前記送電指令を供給することができる。
【００２３】
前記第１の情報は、前記発電デバイスが有する送電部の動作状態を示す情報を含み、前記第１の供給手段は、前記送電部の動作状態を示す情報に基づいて、前記送電部が送電可能な動作状態である場合のみ前記送電指令を供給することができる。
【００２４】
前記第２の情報は、前記蓄電デバイスが有する蓄電部の現在の蓄電状態に関する情報を含み、前記決定手段は、前記蓄電部の現在の蓄電状態に関する情報に基づいて、送電先とする蓄電デバイスの決定を行うことができる。
【００２５】
前記第２の情報は、前記蓄電デバイスが有する蓄電部の蓄電量に基づく、前記蓄電デバイスが有する電力消費部の残り可能運転時間に関する情報を含み、前記決定手段は、前記電力消費部の残り可能運転時間に関する情報に基づいて、送電先とする蓄電デバイスの決定を行うことができる。
【００２６】
前記第２の情報は、前記蓄電デバイスの認証用個体情報を含み、前記蓄電デバイスの認証用個体情報を用いて、前記蓄電デバイスの認証を行う認証手段をさらに備えることができる。
【００２７】
前記第２の情報は、蓄電デバイスの位置情報を含み、前記第２の供給手段は、前記蓄電デバイスの位置情報に基づいて、前記蓄電デバイスが受電可能な位置に存在する場合のみ前記受電指令を供給することができる。
【００２８】
前記第２の情報は、前記蓄電デバイスが有する受電部の動作状態に関する情報を含み、前記第２の供給手段は、前記受電部の動作状態を示す情報に基づいて、前記受電部が受電可能な動作状態である場合のみ前記受電指令を供給することができる。
【００２９】
前記決定手段は、前記発電デバイスにより発電された電力を消費する電力消費部を有する蓄電デバイスを、前記送電先として決定することができる。
【００３０】
前記決定手段は、比較的大容量の蓄電部を有する蓄電デバイスを、前記送電先として決定することができる。
【００３１】
さらに、蓄電デバイス同士の電力の授受も制御し、前記決定手段は、蓄電デバイスを送電元として、前記送電元の蓄電デバイスに蓄電されている電力の送電先とする蓄電デバイスを決定し、前記第１の供給手段は、前記送電指令を、前記送電元の蓄電デバイスに供給することができる。
【００３２】
前記第２の取得手段は、自分自身が制御する発電デバイスおよび蓄電デバイスと異なる発電デバイスおよび蓄電デバイスを制御する他の制御装置から、前記他の制御装置が制御する蓄電デバイスの前記第２の情報を取得し、前記決定手段は、前記第１の取得手段により取得された前記第１の情報に示される前記発電状況、および、前記第２の取得手段により取得された、前記他の制御装置が制御する蓄電デバイスの前記第２の情報に示される前記蓄電状態に応じて、前記発電デバイスにより発電された電力の送電先とする蓄電デバイスを決定し、前記第２の供給手段は、前記受電指令を、前記決定手段により送電先として決定された前記蓄電デバイスに対して、前記他の制御装置を介して供給することができる。
【００３３】
前記第１の取得手段は、自分自身が制御する発電デバイスおよび蓄電デバイスと異なる発電デバイスおよび蓄電デバイスを制御する他の制御装置から、前記他の制御装置が制御する発電デバイスの前記第１の情報を取得し、前記決定手段は、前記第１の取得手段により取得された、前記他の制御装置が制御する発電デバイスの前記第１の情報に示される前記発電状況、および、前記第２の取得手段により取得された前記第２の情報に示される前記蓄電状態に応じて、前記発電デバイスにより発電された電力の送電先とする蓄電デバイスを決定し、前記第１の供給手段は、前記送電指令を、送電元の前記発電デバイスに対して、前記他の制御装置を介して供給することができる。
【００３４】
自分自身が制御する発電デバイスおよび蓄電デバイスと異なる発電デバイスおよび蓄電デバイスを制御する他の制御装置と相互認証を行う相互認証手段をさらに備えることができる。
【００３５】
本発明の一側面はまた、発電を行う発電デバイスと、電力を蓄電する蓄電デバイスとの間の電力の授受を制御する制御装置の制御方法であって、前記制御装置の第１の取得手段が、前記発電デバイスの発電状況に関する情報である第１の情報を取得し、前記制御装置の第２の取得手段が、前記蓄電デバイスの蓄電状態に関する情報である第２の情報を取得し、前記制御装置の決定手段が、取得された前記第１の情報に示される前記発電状況、および、取得された前記第２の情報に示される前記蓄電状態に応じて、前記発電デバイスにより発電された電力の送電先とする蓄電デバイスを決定し、前記制御装置の第１の供給手段が、送電元の前記発電デバイスに対して、送電先として決定された前記蓄電デバイスへの送電開始を指示する送電指令を供給し、前記制御装置の第２の供給手段が、送電先として決定された前記蓄電デバイスに対して、送電元の前記発電デバイスからの受電開始を指示する受電指令を供給する制御方法である。
【００３６】
本発明の他の側面は、発電を行う発電手段と、前記発電手段により発電されて得られた電力の授受を制御する制御装置から、前記電力の送電開始を指示する送電指令を取得する取得手段と、前記取得手段により取得された前記送電指令により送電先として指定される他の装置に対して、前記発電手段により発電されて得られた電力を送電する送電手段とを備える発電装置である。
【００３７】
前記発電手段により発電されて得られた電力を蓄電する蓄電手段をさらに備え、前記送電手段は、前記蓄電手段により蓄電されている電力を送電することができる。
【００３８】
前記蓄電手段による蓄電状態に基づいて、前記送電手段による送電の可否を判定する判定手段と、前記判定手段による判定結果を前記制御装置に供給する供給手段とをさらに備えることができる。
【００３９】
前記制御装置に対して、前記発電手段による発電状況に関する情報を供給する供給手段をさらに備えることができる。
【００４０】
本発明の他の側面はまた、発電装置の発電方法であって、前記発電装置の発電手段が、発電を行い、前記発電装置の取得手段が、発電されて得られた電力の授受を制御する制御装置から、前記電力の送電開始を指示する送電指令を取得し、前記発電装置の送電手段が、取得された前記送電指令により送電先として指定される他の装置に対して、発電されて得られた電力を送電する発電方法である。
【００４１】
本発明のさらに他の側面は、発電装置との電力の授受を制御する制御装置から、前記発電装置から供給される電力の受電開始を指示する受電指令を取得する取得手段と、前記取得手段により取得された前記受電指令により送電元として指定される発電装置から供給される電力を受電する受電手段と、前記受電手段により受電された前記電力を蓄電する蓄電手段とを備える蓄電装置である。
【００４２】
前記他の装置は発電装置であることができる。
【００４３】
前記他の装置は、自分自身に蓄電されている電力を送電する送電機能を有する他の蓄電装置であることができる。
【００４４】
前記蓄電手段により蓄電された前記電力を消費する電力消費手段をさらに備えることができる。
【００４５】
前記蓄電手段により蓄電された前記電力を他の蓄電装置に送電する送電手段をさらに備えることができる。
【００４６】
前記制御装置に対して、前記蓄電手段による蓄電状態に関する情報を供給する供給手段をさらに備えることができる。
【００４７】
本発明のさらに他の側面はまた、蓄電装置の蓄電方法であって、前記蓄電装置の取得手段が、発電装置との電力の授受を制御する制御装置から、前記発電装置から供給される電力の受電開始を指示する受電指令を取得し、前記蓄電装置の受電手段が、取得された前記受電指令により送電元として指定される発電装置から供給される電力を受電し、前記蓄電装置の蓄電手段が、受電された前記電力を蓄電する蓄電方法である。
【００４８】
本発明のさらに他の側面は、発電を行う発電装置、電力を蓄電する蓄電装置、および、前記発電装置と前記蓄電装置との間の電力の授受を制御する制御装置とを有する電力制御システムであって、前記制御装置は、前記発電装置の発電状況に関する情報である第１の情報を取得する第１の取得手段と、前記蓄電装置の蓄電状態に関する情報である第２の情報を取得する第２の取得手段と、前記第１の取得手段により取得された前記第１の情報に示される前記発電状況、および、前記第２の取得手段により取得された前記第２の情報に示される前記蓄電状態に応じて、前記発電装置により発電された電力の送電先とする蓄電装置を決定する決定手段と、送電元の前記発電装置に対して、前記決定手段により送電先として決定された前記蓄電装置への送電開始を指示する送電指令を供給する第１の供給手段と、前記決定手段により送電先として決定された前記蓄電装置に対して、送電元の前記発電装置からの受電開始を指示する受電指令を供給する第２の供給手段とを備え、前記発電装置は、発電を行う発電手段と、前記制御装置に対して、前記発電手段による発電状況に関する情報を供給する第３の供給手段と、前記第３の供給手段により前記発電手段による発電状況に関する情報を供給した前記制御装置から、前記送電指令を取得する第３の取得手段と、前記第３の取得手段により取得された前記送電指令により送電先として指定される前記蓄電装置に対して、前記発電手段により発電されて得られた電力を送電する送電手段とを備え、前記蓄電装置は、前記制御装置に対して、蓄電状態に関する情報を供給する第４の供給手段と、前記第４の供給手段により前記蓄電状態に関する情報を供給した前記制御装置から、前記受電指令を取得する第４の取得手段と、前記第４の取得手段により取得された前記受電指令により送電元として指定される前記発電装置から供給される電力を受電する受電手段と、前記受電手段により受電された前記電力を蓄電する蓄電手段とを備える電力制御システムである。
【００４９】
本発明の一側面においては、発電デバイスの発電状況に関する情報である第１の情報が取得され、蓄電デバイスの蓄電状態に関する情報である第２の情報が取得され、取得された第１の情報に示される発電状況、および、取得された第２の情報に示される蓄電状態に応じて、発電デバイスにより発電された電力の送電先とする蓄電デバイスが決定され、送電元の発電デバイスに対して、送電先として決定された蓄電デバイスへの送電開始を指示する送電指令が供給され、送電先として決定された蓄電デバイスに対して、送電元の発電デバイスからの受電開始を指示する受電指令が供給される。
【００５０】
本発明の他の側面においては、発電が行われ、発電されて得られた電力の授受を制御する制御装置から、電力の送電開始を指示する送電指令が取得され、取得された送電指令により送電先として指定される他の装置に対して、発電されて得られた電力が送電される。
【００５１】
本発明のさらに他の側面においては、発電装置との電力の授受を制御する制御装置から、発電装置から供給される電力の受電開始を指示する受電指令が取得され、取得された受電指令により送電元として指定される発電装置から供給される電力が受電され、受電された電力が蓄電される。
【００５２】
本発明のさらに他の側面においては、制御装置において、発電装置の発電状況に関する情報である第１の情報が取得され、蓄電装置の蓄電状態に関する情報である第２の情報が取得され、取得された第１の情報に示される発電状況、および、取得された第２の情報に示される蓄電状態に応じて、発電装置により発電された電力の送電先とする蓄電装置が決定され、送電元の発電装置に対して、送電先として決定された蓄電装置への送電開始を指示する送電指令が供給され、送電先として決定された蓄電装置に対して、送電元の発電装置からの受電開始を指示する受電指令が供給され、発電装置において、発電が行われ、制御装置に対して、発電状況に関する情報が供給され、発電状況に関する情報を供給した制御装置から、送電指令が取得され、取得された送電指令により送電先として指定される蓄電装置に対して、発電されて得られた電力が送電され、蓄電装置において、制御装置に対して、蓄電状態に関する情報が供給され、その蓄電状態に関する情報を供給した制御装置から、受電指令が取得され、取得された受電指令により送電元として指定される発電装置から供給される電力が受電され、受電された電力が蓄電される。
【発明の効果】
【００５３】
本発明によれば、発電された電力を制御することができる。特に、発電した電力をより効率よく利用することができる。
【図面の簡単な説明】
【００５４】
【図１】本発明を適用したパーソナル電力自立システムの構成例を示す図である。
【図２】本発明を適用したコントローラの構成例を示すブロック図である。
【図３】本発明を適用した発電デバイスの構成例を示すブロック図である。
【図４】本発明を適用した蓄電デバイスの構成例を示すブロック図である。
【図５】直接給電の例を説明する図である。
【図６】無線による直接給電処理の流れの例を説明するフローチャートである。
【図７】有線による直接給電処理の流れの例を説明するフローチャートである。
【図８】間接給電の例を説明する図である。
【図９】無線による間接給電処理の流れの例を説明するフローチャートである。
【図１０】有線による間接給電処理の流れの例を説明するフローチャートである。
【図１１】蓄電デバイス間の給電の例を説明する図である。
【発明を実施するための形態】
【００５５】
以下、発明を実施するための形態（以下実施の形態とする）について説明する。なお、説明は以下の順序で行う。
１．第１の実施の形態（パーソナル電力自立システム）
【００５６】
＜１．第１の実施の形態＞
［パーソナル電力自立システム］
本発明は、個人が携帯する発電デバイス、蓄電デバイス、送電デバイスとそれらを制御するコントローラからなるエネルギーシステムに関する。まず、システムの概要について説明する。
【００５７】
本発明のエネルギーシステムは、個人が携帯、または身につけることができる、単数または複数のマイクロ発電デバイス、それぞれの発電デバイスに付随する送電デバイス、個人が携帯、または身につけることができる蓄電デバイス、蓄電デバイスに付随する受電デバイス、これらのデバイスを制御するコントローラ、電力を消費する、単数または複数の携帯電子機器（消費デバイス）を有する。
【００５８】
蓄電デバイスは単独で使用してもよいが、各携帯電子機器に内蔵されているようにしてもよい。発電デバイスは、独自に小容量の発電電力蓄電デバイスを備えてもよい。送電デバイスによる送電は望ましくはワイヤレスであるが、有線接続による都度送電でもよい。
【００５９】
その他、機器としての構成は任意であり、上述した複数のデバイスを１つの機器に含めるようにしてもよいし、上述していない機能を有するようにしてもよい。
【００６０】
このようなエネルギーシステムの具体例について説明する。図１は、本発明を適用したパーソナル電力自立システムの構成例を示す図である。
【００６１】
図１に示されるパーソナル電力自立システム１００は、主にユーザ１０１が携帯可能な機器により構成される、ユーザ１０１が有する機器間で電力を授受するエネルギーシステムである。つまり、パーソナル電力自立システム１００は、世帯や個人等といった小規模な範囲の中で完結する（電力の授受がその小規模な範囲内のみで行われる）エネルギーシステムである。したがって、パーソナル電力自立システム１００には、商用電源等の大規模な電力供給設備は含まれない。
【００６２】
上述したように、パーソナル電力自立システム１００は、発電デバイス、送電デバイス、蓄電デバイス、受電デバイス、コントローラ、および消費デバイスを有する。ただし、以下においては、送電デバイスは発電デバイスに含まれるものとし、受電デバイスと消費デバイスは、蓄電デバイスに含まれるものとする。
【００６３】
図１に示されるように、パーソナル電力自立システム１００は、携帯電話機１１１を有する。この携帯電話機１１１は、通話やメール送受信等の、通常の携帯電話機としての機能の他に、上述したコントローラとしての機能も有する。つまり、パーソナル電力自立システム１００においては、コントローラとして機能する。したがって、携帯電話機１１１は、コントローラ１１０とも称する。
【００６４】
パーソナル電力自立システム１００は、帽子１２１、装飾物１２２、鞄１２３、靴１２４、写真立て１２５、照明１２６、およびポータブル燃料電池１２７を有する。これらは、発電機能を有し、パーソナル電力自立システム１００においては、上述した発電デバイスとして機能する。したがって、これらを互いに区別する必要が無い場合、これらのことを発電デバイス１２０とも称する。
【００６５】
帽子１２１は、プロペラ等や発電モータ等を有し、そのプロペラ等で受けた風力で発電を行う風力発電機能を有する。装飾物１２２は、装飾物１２２を携帯するユーザ１０１の周囲に発生する電磁波を電気エネルギーに変換する発電機能や、ユーザ１０１の体温を電気エネルギーに変換する発電機能を有する。
【００６６】
鞄１２３には、その表面に太陽光発電パネルが設けられており、光エネルギーを電気エネルギーに変換する発電機能を有する。靴１２４は、右足用靴１２４−１および左足用靴１２４−２からなり、それらは、靴底にかかる圧力を電気エネルギーに変換する発電機能を有する。つまり、ユーザ１０１が歩いたり、走ったり、飛んだりすると、靴１２４の靴底に圧力がかかり、発電が行われる。
【００６７】
以上の帽子１２１乃至靴１２４は、ユーザが装着する発電デバイス１２０である。
【００６８】
写真立て１２５や照明１２６には、太陽光発電パネルが設けられており、光エネルギーを電気エネルギーに変換する発電機能を有する。ポータブル燃料電池１２７は、補充可能な何らかの負極活物質と正極活物質との化学反応により電力を取り出す発電機能を有する。
【００６９】
写真立て１２５乃至ポータブル燃料電池１２７は、例えばユーザ１０１の自宅等に設置されたり適宜携帯されたりして、主にユーザ１０１が個人使用するものである。
【００７０】
これらの発電デバイス１２０は、ユーザ１０１が個人使用する消費デバイスが使用する電力を供給する小規模のデバイスであり、電力会社や公共施設等の多数の利用者のための大規模な発電設備ではない。また、電力会社等に売電するための電力を発電する設備でもない。
【００７１】
パーソナル電力自立システム１００は、さらに、音楽プレーヤ１３１、ゲーム機１３２、ノート型パーソナルコンピュータ１３３、および時計１３４を有する。これらは、蓄電機能と電力消費機能を有する。パーソナル電力自立システム１００においては、上述した蓄電デバイスとして機能する。したがって、これらを互いに区別する必要が無い場合、これらのことを蓄電デバイス１３０とも称する。
【００７２】
音楽プレーヤ１３１は、２次電池を内蔵し（脱着可能なものも含む）、その２次電池に蓄電された電力を用いて音楽データの再生等を行い、ヘッドホンやスピーカを介して音声出力を行う。ゲーム機１３２は、２次電池を内蔵し（脱着可能なものも含む）、その２次電池に蓄電された電力を用いてプログラムを実行し、テレビゲームの画像をモニタに表示したり、ゲームに対するユーザ１０１の操作を受け付けたりする。
【００７３】
ノート型パーソナルコンピュータ１３３は、２次電池を内蔵し（脱着可能なものも含む）、その２次電池に蓄電された電力を用いてプログラムを実行する等の、パーソナルコンピュータとしての機能を実現する。時計１３４は、２次電池を内蔵し（脱着可能なものも含む）、その２次電池に蓄電された電力を用いて時刻表示や時刻報知等の機能を実現する。
【００７４】
これらの蓄電デバイス１３０は、ユーザ１０１が携帯して使用するものもあれば、ユーザ１０１の自宅等に設置して使用するものもあるが、いずれも主にユーザ１０１が個人使用するものである。
【００７５】
これらの蓄電デバイス１３０は、商用電源等に接続されなくても、２次電池に蓄電されている程度の電力で駆動可能なデバイスである。
【００７６】
次に、各デバイスについて説明する。
【００７７】
［コントローラ］
最初にコントローラ１１０について説明する。図２は、コントローラ１１０の主な構成例を示すブロック図である。図２に示されるように、コントローラ１１０は、制御部２１０、入力部２１１、出力部２１２、記憶部２１３、および通信部２１４を有する。
【００７８】
制御部２１０は、CPU（Central Processing Unit）、ROM（Read Only Memory）、およびRAM（Random Access Memory）等を有し、プログラムを実行する等してコントローラ１１０の各部を制御し、発電デバイス１２０や蓄電デバイス１３０の制御に関する処理を行う。
【００７９】
入力部２１１は、例えば、キーボード、マウス、ボタン、若しくはタッチパネルなどの任意の入力デバイスや入力端子等よりなり、ユーザ１０１や他の装置等の外部からの情報入力を受け付け、入力された情報を制御部２１０に提供する。
【００８０】
出力部２１２は、CRT（Cathode Ray Tube）ディスプレイ、LCD（Liquid Crystal Display）等のディスプレイ、スピーカ、若しくは出力端子などよりなり、制御部２１０から供給される情報を画像や音声としてユーザ１０１に提供したり、所定の信号として他の装置に出力したりする。
【００８１】
記憶部２１３は、例えば、フラッシュメモリ等のSSD（Solid State Drive）やハードディスクなどよりなり、制御部２１０から供給される情報を記憶したり、記憶している情報を制御部２１０に供給したりする。
【００８２】
通信部２１４は、例えば、有線LAN（Local Area Network）や無線LANのインタフェースやモデムなどよりなり、インターネットを含むネットワークを介して他の装置との通信処理を行う。例えば、通信部２１４は、制御部２１０に制御され、発電デバイス１２０や蓄電デバイス１３０と通信を行い、発電状況や充電状態等に関する情報を受信したり、送電指令や受電指令等の制御情報を送信したりする。また、例えば、通信部２１４は、制御部２１０に制御され、インターネットを含むネットワークを介してコンピュータプログラムを取得し、それを記憶部２１３にインストールする。
【００８３】
さらに、コントローラ１１０にはまた、必要に応じてドライブ２１５が接続され、磁気ディスク、光ディスク、光磁気ディスク、或いは半導体メモリなどのリムーバブルメディア２２１が適宜装着され、それらから読み出されたコンピュータプログラムが、必要に応じて記憶部２１３にインストールされる。
【００８４】
なお、実際には、コントローラ１１０は、制御部２１０乃至ドライブ２１５を駆動させる電力を各部に供給する蓄電部（１次電池若しくは２次電池等）も有するが、図示は省略する。
【００８５】
コントローラ１１０は、基本的に発電デバイス１２０と蓄電デバイス１３０との間の電力の授受を制御する。例えば、コントローラ１１０は、発電デバイス１２０（送電デバイス）を制御することにより、いつ、どの発電デバイスから、どの蓄電デバイス（受電デバイス）１３０に送電（充電）を行うかを制御する。また、コントローラ１１０は、蓄電デバイス１３０間の電力の授受も制御する。
【００８６】
このような制御のために、コントローラ１１０は、ユーザ１０１、発電デバイス１２０、および蓄電デバイス１３０から各種情報を取得する。
【００８７】
例えば、ユーザ１０１は、入力部２１１を介して、以下のような設定を行うことができる。
【００８８】
１）各機器に備えた蓄電デバイスの望ましい充電状態
２）各機器の使用優先順位
３）各機器の充電の優先順位
４）各機器間の手動による電力融通
５）ユーザの行動予定
６）ユーザ行動の学習
【００８９】
各デバイス間の送電が有線接続による場合、コントローラ１１０は、ユーザ１０１に対して、出力部２１２を介して、上記設定に基づく送電元、送電接続先の推奨を行う。つまり、コントローラ１１０は、各種設定や各種状況に基づいて推奨される、有線接続するデバイスの組み合わせをユーザ１０１に通知する。
【００９０】
例えば、ユーザ１０１が、入力情報１）（各機器に備えた蓄電デバイスの望ましい充電状態（規定の充電状態））を設定すると、コントローラ１１０は、各蓄電デバイス１３０を監視し、規定の充電状態を下回った蓄電デバイスに優先的に送電（充電）を行うように制御する。規定の充電状態は、任意のパラメータで設定されるようにしてよいが、例えば、満充電状態との比率や、残り運転時間等による設定が考えられる。
【００９１】
もちろん、入力情報２）以降の、その他の設定が行われている場合、コントローラ１１０は、それらの設定も考慮して電力授受の制御を行う。
【００９２】
例えば、入力情報５）（ユーザ１０１の行動予定）が設定されると、コントローラ１１０は、その情報（ユーザ１０１の行動予定）に基づいて、各蓄電デバイス１３０（消費デバイス）の使用予定をある程度予測することができ、その蓄電デバイス１３０を優先的に充電するようにすることができる。
【００９３】
入力情報６）（ユーザ１０１の行動の学習）は、ユーザ１０１が行動した結果を入力するものであり、コントローラ１１０は、その情報に基づいて、ユーザ１０１の行動パターンを学習し、その学習結果を、次の行動予測に利用する。このとき、コントローラ１１０が、学習結果と、入力情報１）乃至入力情報５）等の他の情報とを組み合わせて行動予測を行うようにしてもよい。
【００９４】
また、入力情報６）は、ユーザ１０１が意識することなく入力されるようにしてもよい。例えば、入力部２１１がGPS等の位置検出センサを有し、制御部２１０が、そのセンサにより検出された位置情報に基づいて、ユーザ１０１の行動結果の解析や学習を行うようにしてもよい。もちろん、位置情報以外の任意の情報が入力部２１１により検出され、制御部２１０による行動結果の解析や学習に利用されるようにしてもよい。また、例えば、通信部２１４を介して、発電デバイス１２０や蓄電デバイス１３０の稼動状況に関する情報が取得され、その情報に基づいてユーザ１０１の行動の解析や学習が行われるようにしてもよい。
【００９５】
もちろん、上述した以外の任意の情報を入力（設定）することができるようにしてもよい。
【００９６】
例えば、コントローラ１１０が、インターネット等を介して、任意の情報を取得するようにしてもよい。例えば、制御部２１０が、通信部２１４を介して、天気情報や風力情報をウェブサイトから取得するようにしてもよい。コントローラ１１０は、取得した天気や風力の情報に基づいて、太陽光発電や風力発電を行う発電デバイスの発電量を予測することができる。さらに、上述したような入力情報と組み合わせて予測精度を向上させるようにしてもよい。
【００９７】
このような発電量の予測により、コントローラ１１０は、より効率のよい電力授受を実現するように制御を行うことができる。
【００９８】
以上のように、コントローラ１１０は、発電デバイス１２０の発電量、蓄電デバイス１３０の蓄電量、および、ユーザ１０１の要求や行動等の情報に基づいて制御を行うことにより、発電デバイス１２０において得られた電力を、より効率よく蓄電デバイス１３０に蓄電させることができる。
【００９９】
なお、コントローラ１１０は、蓄電デバイス１３０同士での電力授受を制御することもできる。例えば、コントローラ１１０は、最大充電量が比較的大きなノート型パーソナルコンピュータ１３３に蓄電されている電力を、最大充電量が比較的少ない音楽プレーヤ１３１等に融通する（移動させる）ような制御を行うこともできる。
【０１００】
なお、図１において、コントローラ１１０の例として携帯電話機１１１を示したが、コントローラ１１０は、上述したような機能を有していればよく、例えばノート型パーソナルコンピュータ等、任意の装置として実現されるようにすることができる。
【０１０１】
［発電デバイス］
次に発電デバイス１２０について説明する。発電デバイス１２０とは、例えば太陽光、風力、熱、振動、電波等で環境発電を行うエナジーハーベスタ、メタノール、水素等で発電する燃料電池などがある。例えばシリコンを材料に用いた太陽電池、有機色素を材料に用いた色素増感型太陽電池、小型風車を用いた風力発電装置、ゼーベック効果を用いた熱電変換装置、圧電デバイスにより振動を電力に変換する振動発電デバイスなどに代表される。
【０１０２】
また、必ずしも身につける発電デバイスである必要はなく、住宅等に設置する小型太陽電池パネル、小型風力発電装置等でもよい。
【０１０３】
図３は、発電デバイス１２０の主な構成例を示すブロック図である。図３に示されるように、発電デバイス１２０は、制御部３１０、入力部３１１、出力部３１２、記憶部３１３、通信部３１４、発電部３３１、蓄電部３３２、および送電部３３３を有する。
【０１０４】
制御部３１０は、CPU、ROM、およびRAM等を有し、プログラムを実行する等して発電デバイス１２０の各部を制御し、発電や送電に関する処理を行う。
【０１０５】
入力部３１１は、例えば、キーボード、マウス、ボタン、若しくはタッチパネルなどの任意の入力デバイスや入力端子等よりなり、ユーザ１０１や他の装置等の外部からの情報入力を受け付け、入力された情報を制御部３１０に提供する。
【０１０６】
出力部３１２は、CRTディスプレイ、LCD等のディスプレイ、スピーカ、若しくは出力端子などよりなり、制御部３１０から供給される情報を画像や音声としてユーザ１０１に提供したり、所定の信号として他の装置に出力したりする。
【０１０７】
記憶部３１３は、例えば、フラッシュメモリ等のSSDやハードディスクなどよりなり、制御部３１０から供給される情報を記憶したり、記憶している情報を制御部３１０に供給したりする。
【０１０８】
通信部３１４は、例えば、有線LANや無線LANのインタフェースやモデムなどよりなり、インターネットを含むネットワークを介して他の装置との通信処理を行う。例えば、通信部３１４は、制御部３１０に制御され、コントローラ１１０や蓄電デバイス１３０と通信を行い、発電状況等に関する情報を受信したり、送電指令等の制御情報を送信したりする。また、例えば、通信部３１４は、制御部３１０に制御され、インターネットを含むネットワークを介してコンピュータプログラムを取得し、それを記憶部３１３にインストールする。
【０１０９】
さらに、発電デバイス１２０にはまた、必要に応じてドライブ３１５が接続され、磁気ディスク、光ディスク、光磁気ディスク、或いは半導体メモリなどのリムーバブルメディア３２１が適宜装着され、それらから読み出されたコンピュータプログラムが、必要に応じて記憶部３１３にインストールされる。
【０１１０】
発電部３３１は、例えば、シリコンや有機色素を材料に用いた太陽電池パネル、小型風車を用いた風力発電装置、ゼーベック効果を用いた熱電変換装置、圧電デバイスなどに代表されるデバイスを有し、任意のエネルギーを電気エネルギーに変換する機能を有する。発電部３３１は、制御部３１０により制御されて、発電を行い、得られた電力を蓄電部３３２に供給する。
【０１１１】
蓄電部３３２は、例えば、小型のリチウムイオン電池、キャパシタ、またはコンデンサ等を有し、制御部３１０に制御されて発電部３３１において発電された電力を一時的に蓄電する。蓄電部３３２は、省略することも可能であるが、発電部３３１において得られる電力は、基本的に小さく不安定である場合が多い。したがって、そのまま送電するよりも、蓄電部３３２において一旦蓄電することにより、比較的大きな電力で安定的な送電が可能になり、より効率のよい送電が可能になる。
【０１１２】
蓄電部３３２は、制御部３１０に制御されて、蓄電されている電力を所定のタイミングで送電部３３３に供給する。なお、蓄電部３３２により蓄電された電力は、各部を駆動させる電力として、制御部３１０乃至ドライブ３１５や、発電部３３１にも適宜供給される。
【０１１３】
送電部３３３は、制御部３１０に制御され、蓄電部３３２から供給される電力を、送電先に指定された蓄電デバイス１３０に送電する。この送電は、有線であってもよいし、無線であってもよい。
【０１１４】
なお、送電部３３３は、電力を受電デバイスに送電する機能を有するので送電デバイス３４０として、発電デバイス１２０とは別の装置として独立させるようにしてもよい。また、入力部３１１は、省略することもできる。
【０１１５】
また、図１において、発電デバイス１２０の例として、帽子１２１乃至ポータブル燃料電池１２７を示したが、発電デバイス１２０は、発電機能を有していればどのような装置として実現されるようにしてもよい。
【０１１６】
［蓄電デバイス］
次に蓄電デバイス１３０について説明する。蓄電デバイス１３０は、電力を蓄電する蓄電機能として、例えば、リチウムイオン電池、ニッケル水素電池、または、キャパシタ等よりなる２次電池を有する。また、蓄電デバイス１３０は、蓄電した電力を消費する電力消費機能も有する。
【０１１７】
図４は、蓄電デバイス１３０の主な構成例を示すブロック図である。図４に示されるように、蓄電デバイス１３０は、制御部４１０、入力部４１１、出力部４１２、記憶部４１３、通信部４１４、受電部４３１、蓄電部４３２、電力消費部４３３、および送電部４３４を有する。
【０１１８】
制御部４１０は、CPU、ROM、およびRAM等を有し、プログラムを実行する等して蓄電デバイス１３０の各部を制御し、発電や送電に関する処理を行う。
【０１１９】
入力部４１１は、例えば、キーボード、マウス、ボタン、若しくはタッチパネルなどの任意の入力デバイスや入力端子等よりなり、ユーザ１０１や他の装置等の外部からの情報入力を受け付け、入力された情報を制御部４１０に提供する。
【０１２０】
出力部４１２は、CRTディスプレイ、LCD等のディスプレイ、スピーカ、若しくは出力端子などよりなり、制御部４１０から供給される情報を画像や音声としてユーザ１０１に提供したり、所定の信号として他の装置に出力したりする。
【０１２１】
記憶部３１３は、例えば、フラッシュメモリ等のSSDやハードディスクなどよりなり、制御部３１０から供給される情報を記憶したり、記憶している情報を制御部３１０に供給したりする。
【０１２２】
通信部４１４は、例えば、有線LANや無線LANのインタフェースやモデムなどよりなり、インターネットを含むネットワークを介して他の装置との通信処理を行う。例えば、通信部４１４は、制御部４１０に制御され、コントローラ１１０や発電デバイス１２０と通信を行い、蓄電状態等に関する情報を受信したり、受電指令等の制御情報を送信したりする。また、例えば、通信部４１４は、制御部４１０に制御され、インターネットを含むネットワークを介してコンピュータプログラムを取得し、それを記憶部４１３にインストールする。
【０１２３】
さらに、蓄電デバイス１３０にはまた、必要に応じてドライブ４１５が接続され、磁気ディスク、光ディスク、光磁気ディスク、或いは半導体メモリなどのリムーバブルメディア４２１が適宜装着され、それらから読み出されたコンピュータプログラムが、必要に応じて記憶部４１３にインストールされる。
【０１２４】
受電部４３１は、制御部４１０に制御され、送電元に指定された発電デバイス１２０や他の蓄電デバイス１３０から供給される電力を受電し、それを蓄電部４３２に供給する。なお、受電部４３１は、電力を送電デバイスから受電する機能を有するので受電デバイス４４０として、蓄電デバイス１３０とは別の装置として独立させるようにしてもよい。
【０１２５】
蓄電部４３２は、例えば、リチウムイオン電池、ニッケル水素電池、または、キャパシタ等よりなる２次電池を有し、制御部４１０に制御されて受電部４３１において受電された電力を蓄電する。また、蓄電部４３２は、制御部４１０に制御されて、蓄電されている電力を電力消費部４３３に供給する。なお、蓄電部４３２により蓄電された電力は、各部を駆動させる電力として、制御部４１０乃至ドライブ４１５にも適宜供給される。
【０１２６】
電力消費部４３３は、制御部４１０により制御され、蓄電部４３２から供給される電力を用いて駆動し、電子機器としての機能を実現する。例えば、音楽プレーヤ１３１の場合、電力消費部４３３は、音楽データを再生し、音声を出力する処理等を行う。また、例えば、ゲーム機１３２の場合、電力消費部４３３は、プログラムを実行したり、テレビゲームの画像表示や音声出力等の処理を行ったりする。さらに、例えば、ノート型パーソナルコンピュータ１３３の場合、電力消費部４３３は、プログラムを実行したり、通信を行ったり、画像表示や音声出力等の処理を行ったりする。また、時計１３４の場合、電力消費部４３３は、計時動作、時刻表示、および時刻報知等の処理を行う。
【０１２７】
なお、電力消費部４３３は、電力を消費する機能を有するので消費デバイス４５０として、蓄電デバイス１３０とは別の装置として独立させるようにしてもよい。
【０１２８】
送電部４３４は、制御部４１０に制御され、蓄電部４３２から供給される電力を、送電先に指定された他の蓄電デバイス１３０に送電する。この送電は、有線であってもよいし、無線であってもよい。
【０１２９】
なお、送電部４３４は、電力を他の受電デバイスに送電する機能を有するので送電デバイス４６０として、蓄電デバイス１３０とは別の装置として独立させるようにしてもよい。また、この送電部４３４は、省略することもできる。その場合の蓄電デバイス１３０は、当然送電機能を有さないので、他の蓄電デバイス１３０に電力を供給することはできない。また、入力部４１１は、省略することもできる。
【０１３０】
なお、図１において、蓄電デバイス１３０の例として、音楽プレーヤ１３１乃至時計１３４を示したが、蓄電デバイス１３０は、蓄電機能を有していればどのような装置として実現されるようにしてもよい。
【０１３１】
［デバイス間通信］
コントローラ１１０、発電デバイス１２０、および蓄電デバイス１３０は、例えば、ZigBee（登録商標）等の所定の通信規格に基づいて通信を行う。
【０１３２】
例えば、コントローラ１１０と発電デバイス１２０は、以下のような情報を授受する。
【０１３３】
１）各発電デバイスの発電状態
２）各発電デバイスに付随する発電電力蓄電デバイス（蓄電部３３２）の蓄電状態
３）コントローラからの送電指令
【０１３４】
また、例えば、コントローラ１１０と蓄電デバイス１３０は、以下のような情報を授受する。
【０１３５】
１）各蓄電デバイスの状態（電圧、電流、温度、劣化状態、蓄電量（mWh，mAh等）、蓄電量割合％（全容量に対する蓄電割合％）など）
２）コントローラからの充電指令
３）コントローラからの放電指令
【０１３６】
また、コントローラ１１０が制御する発電デバイス１２０および蓄電デバイス１３０は、事前にコントローラ１１０に登録される。つまり、コントローラ１１０は、電力の授受を行う発電デバイス１２０および蓄電デバイス１３０を管理し、不正な発電デバイスからの電力の供給や、不正な蓄電デバイスへの電力の供給を禁止にすることができる。つまり、コントローラ１１０の制御により、ユーザ１０１が許可しない電力の授受を行わないようにすることができる。
【０１３７】
これによりコントローラ１１０が制御、モニタする発電デバイス１２０（送電デバイス）や、蓄電デバイス１３０（受電デバイス）を定義するとともに、発電デバイス１２０から送電される電力を適切に蓄電デバイス１３０が受け取ることができ、発電電力の盗難、品質の悪い電力の誤受電を防止することができる。
【０１３８】
［発電情報１］
コントローラ１１０と発電デバイス１２０との間では、発電に関する発電情報が授受される。発電デバイス１２０からコントローラ１１０に供給される発電情報には、例えば、現在の発電出力（Ｗ）や過去の発電出力履歴が含まれる。これにより、制御部２１０は、今後の発電出力の予測が可能となり、通信部２１４を介して、計画的な送受電、各蓄電デバイス１３０（消費デバイス）に対する電力消費マネジメントを行うことが可能となる。また、発電デバイス１２０の経時劣化診断も可能となる。
【０１３９】
また、発電デバイス１２０からコントローラ１１０に供給される発電情報には、例えば、発電デバイス１２０に付随する蓄電デバイス（蓄電部３３２）の蓄電量（Wh）若しくは蓄電割合（％）（蓄電部３３２の現在の蓄電状態に関する情報）が含まれる。これにより、制御部２１０は、その発電情報を供給した発電デバイス１２０から送電させるべきか否かの判断を行い、通信部２１４を介して、その発電デバイス１２０に対して、より適切な送電制御を行うことができる。
【０１４０】
さらに、発電デバイス１２０からコントローラ１１０に供給される発電情報には、例えば、蓄電部３３２の使用サイクル数や使用時間等の情報（蓄電部３３２の使用履歴に関する情報）が含まれる。これにより、制御部２１０は、蓄電部３３２の信頼性や寿命予測等を行うことができる。また、制御部２１０は、この情報に基づいて、蓄電部３３２のメンテナンスのスケジュール管理も行うことができる。
【０１４１】
また、発電デバイス１２０からコントローラ１１０に供給される発電情報には、例えば、発電デバイス１２０の認証用個体情報（発電デバイス１２０の識別情報等）が含まれる。これにより、制御部２１０は、その発電デバイス１２０が事前に登録されたものであることを認識し、通信部２１４を介して、安全な送受電を行うように制御することができる。
【０１４２】
さらに、発電デバイス１２０からコントローラ１１０に供給される発電情報には、例えば、発電デバイス１２０が送電可能となる次回の時間予測に関する情報が含まれる。これにより、制御部２１０は、次回の送電可能な時間の情報を得ることができ、通信部２１４を介して、より計画的な送受電の制御を行うことができる。また、この情報により、制御部２１０は、通信部２１４を介して、各蓄電デバイス１３０に対する電力消費マネジメントをより適切に行うことができる。
【０１４３】
また、発電デバイス１２０からコントローラ１１０に供給される発電情報には、例えば、発電デバイス１２０の位置情報が含まれる。これにより、制御部２１０は、発電デバイス１２０が送受電可能な範囲にあるかどうかの判断を行うことが可能となる。
【０１４４】
さらに、発電デバイス１２０からコントローラ１１０に供給される発電情報には、例えば、送電部３３３の動作状態が含まれる。これにより、制御部２１０は、発電デバイス１２０が送電可能な状態にあるか判断を行うことが可能となる。
【０１４５】
なお、発電デバイス１２０からコントローラ１１０に供給される発電情報に、上述した各種情報の一部のみが含まれるようにしてもよい。また、上述した以外の情報が含まれるようにしてもよい。
【０１４６】
［発電情報２］
コントローラ１１０から発電デバイス１２０に供給される発電情報には、例えば、コントローラ１１０の認証用個体情報（コントローラ１１０の識別情報等）が含まれる。これにより、制御部３１０は、コントローラ１１０の認証を行い、コントローラ１１０が事前に登録されたものである（不正なコントローラ１１０でない）ことを認識し、安全な送電を行うように制御することができる。つまり、発電デバイス１２０は、不正なコントローラ１１０および不正な蓄電デバイス１３０による電力の盗難を抑制することができる。
【０１４７】
また、コントローラ１１０から発電デバイス１２０に供給される発電情報には、例えば、電力の供給を指示する送電指令が含まれる。この指令に基づいて、制御部３１０は、送電部３３３を制御し、送電を開始させることができる。
【０１４８】
さらに、コントローラ１１０から発電デバイス１２０に供給される発電情報には、例えば、蓄電デバイス１３０の個体情報（蓄電デバイス１３０、受電デバイス４４０、若しくは消費デバイス４５０に関する情報）が含まれる。この個体情報には、例えば、蓄電デバイス１３０を識別する識別情報や、蓄電デバイス１３０が有する機能（構成や仕様等）に関する情報等が含まれる。この情報に基づいて、制御部３１０は、正しい蓄電デバイス１３０へ適正に送電を行うように、送信部３３３を制御することができる。
【０１４９】
コントローラ１１０から発電デバイス１２０に供給される発電情報には、例えば、発電量と消費電力量とのバランスを示す情報が含まれる。発電量が調節可能な発電デバイス１２０（燃料電池など）の場合、制御部３１０は、この情報に基づいて、発電出力が適正量となるように、発電部３３１を制御することができる。
【０１５０】
なお、コントローラ１１０から発電デバイス１２０に供給される発電情報に、上述した各種情報の一部のみが含まれるようにしてもよい。また、上述した以外の情報が含まれるようにしてもよい。
【０１５１】
［電力消費情報１］
コントローラ１１０と蓄電デバイス１３０との間では、電力消費に関する電力消費情報が授受される。蓄電デバイス１３０からコントローラ１１０に供給される電力消費情報には、例えば、蓄電デバイス１３０の蓄電部４３２の蓄電量（Wh）若しくは蓄電割合（％）（蓄電部４３２の現在の蓄電状態に関する情報）が含まれる。これにより、制御部２１０は、発電デバイス１２０からの電力送電先をより適切に判断することができる。
【０１５２】
また、蓄電デバイス１３０からコントローラ１１０に供給される電力消費情報には、例えば、蓄電部４３２の蓄電量に基づく電力消費部４３３の残り可能運転時間（ｈ若しくはmin等）が含まれる。これにより、制御部２１０は、発電デバイス１２０からの電力送電先をより適切に判断することができる。
【０１５３】
さらに、蓄電デバイス１３０からコントローラ１１０に供給される電力消費情報には、例えば、蓄電デバイス１３０の認証用個体情報（蓄電デバイス１３０の識別情報等）が含まれる。これにより、制御部２１０は、その蓄電デバイス１３０が事前に登録されたものであることを認識し、通信部２１４を介して、安全な送受電を行うように制御することができる。
【０１５４】
また、蓄電デバイス１３０からコントローラ１１０に供給される電力消費情報には、例えば、蓄電デバイス１３０の位置情報が含まれる。これにより、制御部２１０は、蓄電デバイス１３０が送受電可能な範囲にあるかどうかの判断を行うことが可能となる。
【０１５５】
さらに、蓄電デバイス１３０からコントローラ１１０に供給される電力消費情報には、例えば、受電部４３１の動作状態が含まれる。これにより、制御部２１０は、蓄電デバイス１３０が受電可能な状態にあるか判断を行うことが可能となる。
【０１５６】
なお、蓄電デバイス１３０からコントローラ１１０に供給される電力消費情報に、上述した各種情報の一部のみが含まれるようにしてもよい。また、上述した以外の情報が含まれるようにしてもよい。
【０１５７】
［電力消費情報２］
コントローラ１１０から蓄電デバイス１３０に供給される電力消費情報には、例えば、電力の取得を指示する受電指令が含まれる。この指令に基づいて、制御部４１０は、受電部４３１を制御し、受電を開始させることができる。
【０１５８】
また、コントローラ１１０から蓄電デバイス１３０に供給される電力消費情報には、例えば、発電デバイス１２０の個体情報（送電デバイス３４０に関する情報）が含まれる。この個体情報には、例えば、発電デバイス１２０を識別する識別情報や、発電デバイス１２０が有する機能（構成や仕様等）に関する情報等が含まれる。この情報に基づいて、制御部４１０は、正しい発電デバイス１２０から適正に受電を行うように、受信部４３１を制御することができる。
【０１５９】
コントローラ１１０から蓄電デバイス１３０に供給される電力消費情報には、例えば、発電量と消費電力量とのバランスを示す情報が含まれる。電力消費量が調節可能な蓄電デバイス１３０の場合、制御部４１０は、この情報に基づいて、電力消費部４３３を制御し、消費出力が適正量となるようにすることができる。
【０１６０】
なお、コントローラ１１０から蓄電デバイス１３０に供給される電力消費情報に、上述した各種情報の一部のみが含まれるようにしてもよい。また、上述した以外の情報が含まれるようにしてもよい。
【０１６１】
［直接給電］
発電デバイス１２０から蓄電デバイス１３０への給電方法には、直接給電と間接給電の２種類の方法が存在する。直接給電とは、発電デバイス１２０において発電された電力を、その電力を消費する電力消費部４３３を有する蓄電デバイス１３０の蓄電部４３２に送電する方法である。
【０１６２】
これに対して、間接給電は、発電デバイス１２０において発電された電力を、一旦、その電力を消費する電力消費部４３３を有する蓄電デバイス１３０とは異なる蓄電デバイス１３０の蓄電部４３２に送電し、蓄電させ、その後、所定のタイミングで、その電力を消費する電力消費部４３３を有する蓄電デバイス１３０の蓄電部４３２に送電し直す方法である。
【０１６３】
まず、直接給電について説明する。図５は、直接給電の様子の例を示す図である。コントローラ１１０は、各蓄電デバイス１３０から収集した、各蓄電デバイス１３０の蓄電部４３２の現在の充電状態に関する情報等に基づいて、各発電デバイス１２０の送電先を決定し、各発電デバイス１２０に対して送電指令を適宜送信する。
【０１６４】
図５においては、発電デバイス１２０の発電部３３１の例として、帽子１２１の発電部１２１Ａ、装飾物１２２の発電部１２２Ａ、鞄１２３の発電部１２３Ａ、靴１２４の発電部１２４Ａ、およびポータブル燃料電池１２７の発電部１２７Ａが示されている。図示は省略するが、もちろん、写真立て１２５や照明１２６の発電部も制御対象に含まれる。
【０１６５】
また、図５においては、蓄電デバイス１３０の蓄電部４３２の例として、音楽プレーヤ１３１の蓄電部１３１Ａ、ゲーム機１３２の蓄電部１３２Ａ、ノート型パーソナルコンピュータ１３３の蓄電部１３３Ａ、および時計１３４の蓄電部１３４Ａが示されている。
【０１６６】
さらに、図５においては、コントローラ１１０の例として携帯電話機１１１が示されている。
【０１６７】
携帯電話機１１１は、蓄電部１３１Ａ乃至蓄電部１３４Ａの蓄電状態に関する情報等を取得し、それらの情報に基づいて、例えば白抜き矢印のように、発電部１２１Ａ乃至発電部１２７Ａにおいて発電された電力の送電先を決定する。
【０１６８】
なお、給電のための送電方法として、無線を介した送電と有線を介した送電の２種類が存在する。最初に、図６のフローチャートを参照して、コントローラ１１０により実行される、無線による直接給電処理の流れの例を説明する。
【０１６９】
この処理が開始されると、制御部２１０は、ステップＳ１０１において、通信部２１４を介して、各発電デバイス１２０と通信を行い、各発電デバイス１２０と発電情報の授受を行い、各発電デバイス１２０の認証を行う。
【０１７０】
各発電デバイス１２０の持つ蓄電部３３２の充電量が一定量（例えば、蓄電部３３２の容量の９０％若しくはLIB4.05V以上など）を超えた場合、制御部３１０は、通信部３１４を制御し、その旨を、コントローラ１１０に通知する発電情報を送信する。これにより、発電デバイス１２０からまとまった量の電力を送ることが可能となり、送電効率を改善することができる。
【０１７１】
なお、このような処理は、コントローラ１１０から各発電デバイス１２０へ発電情報の送信を要求することにより開始されるようにしてもよい。
【０１７２】
ステップＳ１０２において、制御部２１０は、取得した発電情報に基づいて、各発電デバイス１２０からの送電可否を判断する。例えば、制御部２１０は、発電デバイス１２０の蓄電部３３２の蓄電量が所定の閾値より小さかったり、発電デバイス１２０が送電可能な位置に存在しなかったり、発電デバイス１２０が送電可能な動作状態になかったりして、送電可能な発電デバイス１２０が存在しないと判定された場合、処理をステップＳ１０１に戻す。
【０１７３】
また、ステップＳ１０２において、発電デバイス１２０の蓄電部３３２の蓄電量が所定の閾値より大きく、発電デバイス１２０が送電可能な位置に存在し、かつ、発電デバイス１２０が送電可能な動作状態にある場合、送電可能な発電デバイス１２０が存在すると判定し、処理をステップＳ１０３に進める。
【０１７４】
ステップＳ１０３において、制御部２１０は、通信部２１４を介して、各蓄電デバイス１３０と通信を行い、各発電デバイス１２０と電力消費情報の授受を行い、各蓄電デバイス１３０の認証を行う。
【０１７５】
制御部２１０は、出力部２１２を介して、発電デバイス１２０や蓄電デバイス１３０の状況を示す情報をユーザ１０１に通知する。
【０１７６】
ユーザ１０１は、ステップＳ１０４において、入力部２１１を操作して、例えば、送電元や送電先の指定や送電開始の指令や、設定若しくは要求などを入力する。また、通信部２１４は、制御部２１０に制御され、天気等の情報を適宜取得する。
【０１７７】
ステップＳ１０５において、制御部２１０は、ユーザ入力に基づいて、電力の送電先とする蓄電デバイス１３０（の蓄電部４３２）の選択を行う。
【０１７８】
ステップＳ１０６において、制御部２１０は、出力部２１２を介して送電デバイス（発電デバイス１２０）と受電デバイス（蓄電デバイス１３０）とを近接させるようにユーザに通知する。例えば、制御部２１０は、送電デバイス（発電デバイス１２０）と受電デバイス（蓄電デバイス１３０）とを、電力の授受が可能な距離以内（送電可能距離内）まで近接させることを促すメッセージをモニタに表示させたり、音声メッセージをスピーカより出力したりする。
【０１７９】
ステップＳ１０７において、制御部２１０は、取得した電力消費情報等に基づいて、蓄電デバイス１３０が受電可能な状態にあるか否かを判定する。例えば、制御部２１０は、蓄電部４３２の蓄電量が所定の閾値より少なく、空き容量が十分に存在し、受電可能な位置に存在し、かつ、受電可能な動作状態にある蓄電デバイス１３０が存在し、受電可能な状態にある蓄電デバイス１３０が存在すると判定された場合、処理をステップＳ１０８に進める。
【０１８０】
ステップＳ１０８において、制御部２１０は、電力の授受を行う送電デバイス（発電デバイス１２０）と受電デバイス（蓄電デバイス１３０）とが送電可能距離内に位置するか否かを判定する。送電デバイスと受電デバイスの位置情報に基づいて、両デバイスが送電可能距離内まで接近したと判定された場合、制御部２１０は、処理をステップＳ１０９に進める。
【０１８１】
ステップＳ１０９において、制御部２１０は、通信部２１４を介して、電力の送電元とした発電デバイス１２０に対して、ステップＳ１０５の処理により送電先として選択した蓄電デバイス１３０への送電指令を含む発電情報を送信する。また、制御部２１０は、通信部２１４を介して、電力の送電先とした蓄電デバイス１３０に対して、電力の送電元となる発電デバイス１２０からの受電指令を含む電力消費情報を送信する。
【０１８２】
送電元に指定された発電デバイス１２０は、この発電情報に含まれる送電指令に従って送電を行う。また、送電先に指定された蓄電デバイス１３０は、この電力消費情報に含まれる受電指令に従って受電を行う。
【０１８３】
指令を送信するとコントローラ１１０は、この無線による直接給電処理を終了する。また、ステップＳ１０７において、例えば、蓄電部４３２の蓄電量が所定の閾値より少なく、空き容量が十分に存在し、受電可能な位置に存在し、かつ、受電可能な動作状態にある蓄電デバイス１３０が存在しないと判定された場合、つまり、受電可能な状態にある蓄電デバイス１３０が存在しないと判定された場合、制御部２１０は、この無線による直接給電処理を終了する。
【０１８４】
また、ステップＳ１０８において、電力の授受を行う送電デバイスと受電デバイスが送電可能距離内まで近接されていないと判定された場合、制御部２１０は、この無線による直接給電処理を終了する。
【０１８５】
以上のような処理を行うことにより、コントローラ１１０は、無線による直接給電を制御することができ、より適切に給電が行われるようにすることができる。
【０１８６】
なお、ステップＳ１０５の処理における蓄電デバイス１３０の選択は、制御部２１０が、収集した発電情報や電力消費情報に基づいて行うようにしてもよい。例えば、制御部２１０は、蓄電残量が最も少ない蓄電デバイス１３０や、蓄電残量から計算される残運転可能時間が最も少ない蓄電デバイス１３０を送電先として指定する。
【０１８７】
また、以上においては、発電デバイスの送電の可否判定をコントローラ１１０が行うように説明したが、これに限らず、例えば、発電デバイスがこの可否判定を行うようにしてもよい。その場合、コントローラ１１０が収集する発電情報にその判定結果を含めるようにしてもよい。また、発電デバイスが送電指令に対する応答として、その判定結果をコントローラ１１０に供給するようにしてもよい。
【０１８８】
次に、有線による送電について説明する。図７のフローチャートを参照して、コントローラ１１０により実行される、有線による直接給電処理の流れの例を説明する。
【０１８９】
図７に示されるように、有線の場合も、基本的に無線の場合と同様に各処理が行われる。つまり、ステップＳ２０１乃至ステップＳ２０５の各処理は、図６のステップＳ１０１乃至ステップＳ１０５と同様に実行される。
【０１９０】
ただし、有線による送電の場合、ユーザ１０１が、送電元の発電デバイス１２０の送電部３３３と送電先の蓄電デバイス１３０の受電部４３１とを有線で接続する。したがって、ステップＳ２０５において、送電元と送電先を選択した制御部２１０は、出力部２１２を介して、送電元と送電先に関する情報をユーザ１０１に通知する。
【０１９１】
そして、ステップＳ２０６において、制御部２１０は、通信部２１４を介して、送電元に指定した発電デバイス１２０と、送電先に指定した蓄電デバイス１３０との接続状況を確認し、それらが有線接続されるまで待機する。送電元に指定した発電デバイス１２０と、送電先に指定した蓄電デバイス１３０とが送受電可能な状態で有線接続されたことが確認されると、制御部２１０は、処理をステップＳ２０７に進める。
【０１９２】
ステップＳ２０７およびステップＳ２０８の各処理は、図６のステップＳ１０６およびステップＳ１０７の各処理と同様に行われる。
【０１９３】
以上のような処理を行うことにより、コントローラ１１０は、有線による直接給電を制御することができ、より適切に給電が行われるようにすることができる。
【０１９４】
なお、ステップＳ２０５の処理における蓄電デバイス１３０の選択は、制御部２１０が、収集した発電情報や電力消費情報に基づいて行うようにしてもよいし、ユーザ１０１の選択指示に基づいて行うようにしてもよい。
【０１９５】
［間接給電］
次に間接給電について説明する。図８は、間接給電の様子の例を示す図であり、図５に対応する。コントローラ１１０は、各蓄電デバイス１３０から収集した、各蓄電デバイス１３０の蓄電部４３２の現在の充電状態に関する情報等に基づいて、各発電デバイス１２０の送電先を決定し、各発電デバイス１２０に対して送電指令を適宜送信する。
【０１９６】
携帯電話機１１１は、蓄電部１３１Ａ乃至蓄電部１３４Ａの蓄電状態に関する情報等を取得し、それらの情報に基づいて、例えば白抜き矢印のように、発電部１２１Ａ乃至発電部１２７Ａにおいて発電された電力の送電先を決定する。このとき、携帯電話機１１１は、白抜き矢印に示されるように、まず、比較的充電容量の大きなノート型パーソナルコンピュータ１３３の蓄電部１３３Ａに一旦蓄電させ、その後、必要に応じて、その他の比較的蓄電容量が少ない蓄電デバイス１３０に、その電力を供給させるように制御する。
【０１９７】
この間接給電の場合も、直接給電の場合と同様に無線を介した送電と有線を介した送電の２種類の送電方法が存在する。最初に、図９のフローチャートを参照して、コントローラ１１０により実行される、無線による間接給電処理の流れの例を説明する。
【０１９８】
ステップＳ３０１乃至ステップＳ３０３の各処理は、図５のステップＳ１０１乃至ステップＳ１０３の場合と同様に行われる。
【０１９９】
ステップＳ３０４において、制御部２１０は、通信部２１４を介して、蓄電部４３２の充電容量が比較的大きな蓄電デバイス１３０である大容量デバイスと通信を行い、その蓄電部４３２の現在の蓄電状況に関する情報を収集する。
【０２００】
ステップＳ３０５において、制御部２１０は、出力部２１２を介して送電デバイス（発電デバイス１２０）と大容量デバイス（蓄電デバイス１３０）とを近接させるようにユーザに通知する。例えば、制御部２１０は、送電デバイスと大容量デバイスとを、電力の授受が可能な距離以内（送電可能距離内）まで近接させることを促すメッセージをモニタに表示させたり、音声メッセージをスピーカより出力したりする。
【０２０１】
ステップＳ３０６において、制御部２１０は、取得した大容量デバイスの情報等に基づいて、その大容量デバイスを送電先に指定し、その大容量デバイスが受電可能な状態にあるか否かを判定する。
【０２０２】
例えば、制御部２１０は、送電先として指定する大容量デバイスの蓄電部４３２の蓄電量が所定の閾値より大きく、空き容量が十分に存在しなかったり、受電可能な位置に存在しなかったり、かつ、受電可能な動作状態に無かったりした場合（大容量デバイスが、受電可能な状態になかった場合）、制御部２１０は、処理をステップＳ３０１に戻し、それ以降の処理を繰り返す。
【０２０３】
また、ステップＳ３０６において、例えば、制御部２１０は、送電先として指定する大容量デバイスが、その蓄電部４３２の蓄電量が所定の閾値より少なく、空き容量が十分に存在し、受電可能な位置に存在し、かつ、受電可能な動作状態にあると判定された場合、処理をステップＳ３０７に進める。
【０２０４】
ステップＳ３０７において、制御部２１０は、電力の授受を行う各送電デバイス（発電デバイス１２０）と大容量デバイス（蓄電デバイス１３０）とが送電可能距離内に位置するか否かを判定する。電力の授受を行う各送電デバイスと受電デバイスが送電可能距離内まで近接されていないと判定された場合、制御部２１０は、処理をステップＳ３０１に戻し、それ以降の処理を繰り返す。
【０２０５】
また、ステップＳ３０７において、送電デバイスと大容量デバイスの位置情報に基づいて、両デバイスが送電可能距離内まで接近したと判定された場合、制御部２１０は、処理をステップＳ３０８に進める。
【０２０６】
ステップＳ３０８において、制御部２１０は、通信部２１４を介して、電力の送電元とした発電デバイス１２０に対して、ステップＳ１０５の処理により送電先として選択した蓄電デバイス１３０（大容量デバイス）への送電指令を含む発電情報を送信する。また、制御部２１０は、通信部２１４を介して、電力の送電先とした蓄電デバイス１３０（大容量デバイス）に対して、電力の送電元となる発電デバイス１２０からの受電指令を含む電力消費情報を送信する。
【０２０７】
送電元に指定された発電デバイス１２０は、この発電情報に含まれる送電指令に従って送電を行う。また、送電先に指定された蓄電デバイス１３０（大容量デバイス）は、この電力消費情報に含まれる受電指令に従って受電を行う。
【０２０８】
ステップＳ３０８の処理が終了すると、制御部２１０は、処理を図５のステップＳ１０３に戻し、送電元をその大容量デバイスとして、それ以降の処理を実行する。つまり、図９に示される各処理が実行されて、発電デバイス１２０から大容量デバイスへの給電が完了すると、次に、蓄電デバイス１３０間の電力授受が開始される。
【０２０９】
その場合の通信も、上述した発電デバイス１２０と蓄電デバイス１３０との間の通信と基本的に同様の方法で行われる。
【０２１０】
このように制御することにより、制御部２１０は、発電デバイス１２０が蓄電部３３２を有さない、若しくは、蓄電部３３２の容量が小さい場合であっても、その電力を、比較的充電容量の大きな蓄電デバイス１３０に蓄電させることができるので、発電デバイス１２０が発電した電力をより有効に利用するように制御することができる。
【０２１１】
また、各発電デバイス１２０からの送電先を、充電容量の大きな特定の蓄電デバイス１３０に限定（例えば一本化）することができ、蓄電デバイス１３０の認証を容易にする（例えば認証を一本化する）ことができるので、システムを簡易化させることができる。
【０２１２】
次に、有線による送電について説明する。図１０のフローチャートを参照して、コントローラ１１０により実行される、有線による間接給電処理の流れの例を説明する。
【０２１３】
図１０に示されるように、有線の場合も、基本的に無線の場合と同様に各処理が行われる。つまり、ステップＳ４０１乃至ステップＳ４０４の各処理は、図９のステップＳ３０１乃至ステップＳ３０４と同様に実行される。
【０２１４】
ただし、有線による送電の場合、ユーザ１０１が、送電元の発電デバイス１２０の送電部３３３と送電先の大容量デバイスの受電部４３１とを有線で接続する。したがって、ステップＳ４０４において、制御部２１０は、出力部２１２を介して、送電元と送電先に関する情報をユーザ１０１に通知する。
【０２１５】
そして、ステップＳ４０５において、制御部２１０は、通信部２１４を介して、送電元に指定した発電デバイス１２０と、送電先に指定した大容量デバイスとの接続状況を確認し、それらが有線接続されるまで待機する。送電元に指定した発電デバイス１２０と、送電先に指定した大容量デバイスとが送受電可能な状態で有線接続されたことが確認されると、制御部２１０は、処理をステップＳ４０６に進める。
【０２１６】
ステップＳ４０６およびステップＳ４０７の各処理は、図９のステップＳ３０５およびステップＳ３０６の各処理と同様に行われる。
【０２１７】
以上のような処理を行うことにより、コントローラ１１０は、有線による間接給電を制御することができ、より適切に給電が行われるようにすることができる。
【０２１８】
［蓄電デバイス間の電力授受］
以上においては、発電デバイス１２０と蓄電デバイス１３０との間の給電について説明したが、コントローラ１１０は、例えば、図１１に示されるように、蓄電デバイス１３０間での給電も制御する事ができるようにしてもよい。
【０２１９】
この場合、上述した間接給電における、大容量デバイスから他の蓄電デバイス１３０への電力供給と同様に各処理が行われる。
【０２２０】
例えば、無線の場合、コントローラ１１０の制御部２１０は、通信部２１４を介して各蓄電デバイス１３０の蓄電部４３２の残容量を通信によりモニタし、出力部２１２を介してユーザ１０１に報知する。
【０２２１】
ある蓄電デバイス１３０の残容量または残運転時間が一定閾値を下回った場合、制御部２１０は、最も残容量、残運転時間の多い蓄電デバイス１３０から、その蓄電デバイス１３０への送電を行うように制御する。
【０２２２】
このとき、送電量は、ユーザ１０１の設定に基づき、残容量、残運転時間から決定される。
【０２２３】
また、有線の場合、制御部２１０は、通信部２１４を介して、各蓄電デバイス１３０の残容量を通信によりモニタし、出力部２１２を介してユーザ１０１に報知する。
【０２２４】
ある蓄電デバイスの残容量または残運転時間が一定閾値を下回った場合、制御部２１０は、出力部２１２を介してユーザにその状況を報知し、さらに最も残容量、残運転時間の多い蓄電デバイス１３０と、その蓄電デバイス１３０との接続を、ユーザ１０１に要請する。
【０２２５】
ユーザ１０１が接続を行うと、制御部２１０は、ユーザ１０１の設定に基づき、残容量、残運転時間から決定される送電量の送電を指令する。
【０２２６】
以上説明したように、本発明は、個人が携帯、または身につけることができる（単数または複数の）マイクロ発電デバイス、それぞれの発電デバイスに付随する送電デバイス、個人が携帯、または身につけることができる蓄電デバイス、蓄電デバイスに付随する受電デバイス、上記デバイスを制御するコントローラ、電力を消費する（単数または複数の）携帯電子機器からなるエネルギーシステムに関するものなので、コントローラは発電デバイスが発電した電力を、送電デバイスを用いて、受電デバイスを備えた蓄電デバイスに送電することができる。
【０２２７】
上記蓄電デバイスは単独で使用してもよいが、望ましくは上記各携帯電子機器に内蔵されている蓄電デバイスなので、上記送電した電力を各携帯電子機器が使用することができる。
【０２２８】
上記発電デバイスは例えば下記のようなデバイスであり、単数でも複数でもよいので、比較的小さな発電デバイスで発電した電力を使用することができる。
【０２２９】
１）太陽電池モジュール
２）各種エネルギーハーベスタ
３）熱電、振動、圧電、電波発電など
４）燃料電池
５）風力発電装置
【０２３０】
また、それぞれの発電デバイスは独自に小容量の発電電力蓄電デバイスを備えてもよいので、各発電デバイスで発電した電力は一時的にそれぞれの蓄電デバイスに蓄えることができる。そのため、ユーザの都合のよい場面でまとめて電力を送電することができる。
【０２３１】
上記コントローラは送電デバイスを制御することにより、各発電デバイスから各蓄電デバイスに付随する受電デバイスへの送電（充電）を制御するので、コントローラは複数ある発電デバイスと複数ある蓄電デバイスをそれぞれ選択して送電を行うことができる。
【０２３２】
送電デバイスによる送電は望ましくはワイヤレスであるが、有線接続による都度送電でもよいので、多様な送電方法に対応することができる。
【０２３３】
各発電デバイスはコントローラとの通信手段を有し（例えばZigBee)、コントローラと下記情報の通信を行うので、コントローラは各発電デバイスの発電状態と発電電力蓄電デバイスの蓄電状態を把握することができ、ユーザへ報知することができるとともに、自動的に送電制御を行うことができる。
【０２３４】
１）各発電デバイスの発電状態
２）各発電デバイスに付随する発電電力蓄電デバイスの蓄電状態
３）コントローラからの送電指令
【０２３５】
各蓄電デバイスはコントローラとの通信手段を有し、コントローラと下記情報の通信を行うので、コントローラは各蓄電デバイスの状態を把握することができ、ユーザへ報知することができるとともに、自動的に受電デバイスを選択することができる。
【０２３６】
１）各蓄電デバイスの状態（電圧、電流、温度、劣化状態など）
２）コントローラからの受電指令
３）コントローラからの送電指令
【０２３７】
各蓄電デバイスは送電デバイスをさらに備え、別の蓄電デバイスに対してコントローラの指令により送電を行うことができるので、各蓄電デバイス間で電力を融通することができ、残容量の少ない蓄電デバイスに残容量の多い蓄電デバイスから電力を送電することにより、各機器における電力使用を最適化することができる。
【０２３８】
コントローラはユーザとのインタフェースを備え、ユーザにより下記設定が可能となり、下記設定に従い、コントローラは各発電デバイス-蓄電デバイス、蓄電デバイス-蓄電デバイス間の送受電を行い、各蓄電デバイスの充電状態を調整、最適化するので、ユーザに希望に応じて各機器の蓄電デバイスの充電状態、を実現することができる。また、手動による電力融通が可能であるため、ユーザのそのときの希望に応じて柔軟に電力を融通することができる。また、ユーザの行動予定の把握、行動の学習が可能であるため、使用されるであろう機器を推定するとともに、発電量の予測をある程度予測することができ、各機器の充電状態を合わせて最適化することができる。
【０２３９】
１）各機器に備えた蓄電デバイスの望ましい充電状態
２）各機器の使用優先順位
３）各機器の充電の優先順位
４）各機器間の手動による電力融通
５）ユーザの行動予定
６）ユーザ行動の学習
【０２４０】
送電が有線接続による場合は、コントローラはユーザに対してインタフェースを通じ、上記設定に基づいて送電元、送電接続先の推奨を行うので、無線接続の場合のように自動化されていなくても、ユーザの簡単な操作により発電電力を最適に使用することが可能となる。
【０２４１】
なお、コントローラ１１０は、別の電力システムのコントローラと相互認証を行うことができる。相互認証を行うことにより、別のコントローラが制御する電力システムから電力をもらう、あるいは別の電力システムに電力を送ることが可能となる。
【０２４２】
別の電力システムと電力を融通する場合は、コントローラ間がまず相互認証を行い、送電側システムのコントローラは受電側システムのコントローラから受電デバイス情報をもらい、自システム内の送電デバイスに該受電デバイスへの送電を指令する。受電側システムのコントローラは送電側システムのコントローラから送電デバイス情報をもらい、自システム内の受電デバイスに該送電デバイスからの受電を指令する。
【０２４３】
そのため、別の電力システム同士を安全に接続し、確実に電力伝送を行うことが可能となる。
【０２４４】
上述した一連の処理は、ハードウェアにより実行させることもできるし、ソフトウェアにより実行させることもできる。
【０２４５】
上述した一連の処理をソフトウェアにより実行させる場合には、そのソフトウェアを構成するプログラムが、ネットワークや記録媒体からインストールされる。
【０２４６】
この記録媒体は、例えば、図２乃至図４に示されるように、装置本体とは別に、ユーザにプログラムを配信するために配布される、プログラムが記録されている磁気ディスク（フレキシブルディスクを含む）、光ディスク（CD-ROM（Compact Disc - Read Only Memory）,DVD（Digital Versatile Disc）を含む）、光磁気ディスク（MD（Mini Disc）を含む）、若しくは半導体メモリなどよりなるリムーバブルメディア２２１、リムーバブルメディア３２１、およびリムーバブルメディア４２１により構成されるだけでなく、装置本体に予め組み込まれた状態でユーザに配信される、プログラムが記録されているROMや、記憶部２１３、記憶部３１３、および記憶部４１３に含まれるハードディスクなどにより構成される。
【０２４７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２４８】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２４９】
また、以上において、１つの装置（または処理部）として説明した構成が、複数の装置（または処理部）として構成されるようにしてもよい。逆に、以上において複数の装置（または処理部）として説明した構成が、まとめて１つの装置（または処理部）として構成されるようにしてもよい。また、各装置（または各処理部）の構成に上述した以外の構成が付加されるようにしてももちろんよい。さらに、システム全体としての構成や動作が実質的に同じであれば、ある装置（または処理部）の構成の一部が他の装置（または他の処理部）の構成に含まれるようにしてもよい。つまり、本発明の実施の形態は、上述した実施の形態に限定されるものではなく、本発明の要旨を逸脱しない範囲において種々の変更が可能である。
【符号の説明】
【０２５０】
１００  パーソナル電力自立システム，  １１０  コントローラ，  １２０  発電デバイス，  １３０  蓄電デバイス，  ２１０  制御部，  ２１４  通信部，  ３１０  制御部，  ３３１  発電部，  ３３２  蓄電部，  ３３３  送電部，  ４１０  制御部，  ４３１  受電部，  ４３２  蓄電部，  ４３３  電力消費部，  ４３４  送電部
【図１】
2012029470.tif 000003
【図２】
2012029470.tif 000004
【図３】
2012029470.tif 000005
【図４】
2012029470.tif 000006
【図５】
2012029470.tif 000007
【図６】
2012029470.tif 000008
【図７】
2012029470.tif 000009
【図８】
2012029470.tif 000010
【図９】
2012029470.tif 000011
【図１０】
2012029470.tif 000012
【図１１】
2012029470.tif 000013